(57)【特許請求の範囲】
【請求項１】
ブリッジ（１６）を介して、下向き傾斜の鼻パッドを省略して形成されているレンズ部（３，３）又はフロントフレーム（４）と、このレンズ部（３，３）又はフロントフレーム（４）の両脇のヨロイとを介して、延長されているテンプル（２，２）の後にモダン（１，１）を取り付け、このモダン（１，１）を耳殻（７，７）の外側の付け根の形状に沿わせるとともに、左右側頭骨（３１，３１）及び左右乳様突起（３２，３２）が挟持されていて、その後、耳朶（５，５）の裏側の付け根に沿って下方に延設して前方に湾曲され、この終端に保持体（９，９）を取り付け、この保持体（９，９）が前記耳朶（５，５）に当接するように成されていて、前記耳朶（５，５）の裏面の前記モダン（１，１）の位置に、前記保持体（９，９）と協働して前記耳朶（５，５）を挟持する前記保持体（９，９）より大きく、耳朶（５，５）の裏面に当接する挟持ストッパー（２８，２８）が設けられていることを特徴とする眼鏡。
【請求項２】
請求項１記載の眼鏡であって、この眼鏡の前記レンズ部（３，３）又は前記フロントフレーム（４）にディスプレイ（１４）が設けられていることを特徴とする眼鏡。
【請求項３】
前記モダン（１，１）の上端に、頭の形状に沿って斜め上方に延設した固定具（６，６）の下方端が取り付けられていることを特徴とする請求項１又は２記載の眼鏡。
【請求項４】
前記モダン（１，１）の終端に取り付けた前記保持体（９，９）と前記挟持ストッパー（２８，２８）が、前記耳朶（５，５）を挟持するようにバネ（３０，３０）で付勢されていることを特徴とする請求項１〜３の何れかに記載の眼鏡。
【請求項５】
前記テンプル（２，２）の後又は前記モダン（１，１）の上端に、前記テンプル（２，２）の前後への移動を阻止する固定体（２９，２９）が取り付けられていることを特徴とする請求項１〜４の何れかに記載の眼鏡。
【請求項６】
前記モダン（１，１）の上端が、前記テンプル（２，２）の後に挿入した連結部材（２５，２５）の後又は前記テンプル（２，２）の後に回動自在に軸支されていて、前記モダン（１，１）が前記テンプル（２，２）に折り重なる方向に、折り畳めるように成されていることを特徴とする請求項１〜５の何れかに記載の眼鏡。
【請求項７】
前記レンズ部（３，３）の内側上方角近傍又は前記フロントフレーム（４）又は前記ブリッジ（１６）に、パッド本体（１７，１７）付アーム（１８，１８）又は一体型パッド（１９，１９）が接合され、このパッド本体（１７，１７）付アーム（１８，１８）又は一体型パッド（１９，１９）が、鼻根（２２）に平行な方向に当接するように又は鼻根（２２）の前方斜め上向きの位置に当接されるように、ブリッジ（１６）又はフロントフレーム（４）の延在方向に対して直角に又は上向きに傾斜して設けられていることを特徴とする請求項１〜６の何れかに記載の眼鏡。
【請求項８】
前記テンプル（２，２）又は前記モダン（１，１）及び／又はパッド本体（１７，１７）付アーム（１８，１８）又は一体型パッド（１９，１９）に、角膜頂点間距離が調整可能な調整機構（８，８）が設けられていることを特徴とする請求項１〜７の何れかに記載の眼鏡。
【請求項９】
前記モダン（１，１）に、耳珠当接体（２０，２０），補聴器（１１，１１），イヤホーン（１２，１２），装飾品（１３，１３）の少なくとも一つが取り付け可能となっていることを特徴とする請求項１〜８の何れかに記載の眼鏡。
【発明の詳細な説明】
【技術分野】
【０００１】
本発明は、レンズ部、フロントフレームが浮いた状態で安定して掛けられる眼鏡に関する。
【背景技術】
【０００２】
従来の眼鏡は、レンズ部の重量が前方下向き傾斜の鼻パッドに押圧として掛かるように成されていて、この鼻パッドとへ字状のモダンとが互いに引き合うようにして固定されている。そのためレンズ部の重量が鼻の両側の柔らかい皮膚面を押圧し、この眼鏡を長期間掛けた場合、鼻パッドが当接した部分は変色して跡が残る。そこで、出願人は鼻パッドが顔に触れずに浮いた状態でかけることができる眼鏡を開発し、先に「耳つぼメガネ」特許第４８２４８３８号を取得している。この「耳つぼメガネ」のモダンを折り畳めるように取り付けた「折り畳めるモダンを取り付けた眼鏡」特許第５１９９５０９号も取得している。また、特許第５１９９５１１号は、眼鏡を顔面に安定させるためにブリッジ２０又はフロントフレーム４の延在方向に対して、直角に又は上向きに傾斜して、パッド本体１，１又は一体型パッド３，３を設け、このパッド本体１，１又は一体型パッド３，３のパッドが、顔面に僅かに当接している。
【先行技術文献】
【特許文献】
【０００３】
【特許文献１】特許第５１９９５１１号
【特許文献２】特許第５１９９５０９号
【特許文献３】特許第４８２４８３８号
【特許文献４】特願２０１３−１０１９４７
【特許文献５】特願２０１３−１２６１８８
【特許文献６】実開平６−５５１２１
【０００４】
特許文献１は、出願人が先に取得している発明の名称「眼鏡」特許第５１９９５１１号であり、下向き傾斜の鼻パッド１７を省略して形成されているレンズ部６又はフロントフレーム４と、このレンズ部６又はフロントフレーム４の両脇のヨロイとを介して、延長されているテンプル１０の後に、モダン７が耳殻１３の外側の形状に沿わせて延長されており、その終端部は耳朶１４を避けるように前方に湾曲されており、このモダン７の終端部の最後尾には、メガネを固定するための保持体１５が設けられていて、この保持体１５が耳珠１６の表裏面に当接した形状に成されていて、テンプル１０に連結部材１１を介するか、介せずして、モダン７を固定するか、又は折り畳めるモダン７を取り付けた眼鏡であって、眼鏡のレンズフレーム５，５又はレンズ６，６の内側上方角近傍又はブリッジ２０又はフロントフレーム４に、パッド本体１，１付アーム２，２又は一体型パッド３，３が接合され、このパッド本体１，１又は一体型パッド３，３が、鼻根８に平行な方向に当接するように又は鼻根８の前方斜め上向きの位置に当接されるように、ブリッジ２０又はフロントフレーム４の延在方向に対して、直角に又は上向きに傾斜して設けられていることで、眼鏡を顔面に安定させるように成されている。
【０００５】
特許文献２は、出願人が先に取得している発明の名称「折り畳めるモダン」特許第５１９９５０９号であり、鼻パッド無しメガネのテンプル３、３の端部に、連結部材９、９を固定又は摺動自在に取り付け、この連結部材９，９に、頭の形状に沿って斜め上方に延設した固定具６，６の下方端が取り付けられ、この連結部材９，９に、耳殻４，４の外側の形状に沿わせて延長したモダン１，１が、耳朶５，５を避けるように前方に湾曲されていて、このモダン１，１の終端部の最後尾に、メガネを固定するための保持体２，２が、耳の耳珠７，７の表裏面に当接するように取り付けられ、このモダン１，１の上方端が、回動自在に軸支されていて、前記テンプル３，３に折り重なる方向に、折り畳めるように成されている。
【０００６】
特許文献３は、出願人が先に取得している発明の名称「耳つぼメガネ」特許第４８２４８３８号であり、鼻パッドを取り外し、レンズ部１１，１１が浮いた状態でかけることができるメガネである。一個又は二個のレンズがパッドを省略して形成されているレンズ部１１，１１と、このレンズ部１１，１１の両脇のヨロイ２，２とを介して、延長されているテンプル４，４の後に、モダン３，３が結合されているメガネであって、前記モダン３，３が耳殻２０，２０の外側の形状に沿わせて延長されており、その終端部は耳朶５，５を避けるように前方に湾曲されており、このモダン３，３の終端部の最後尾には、メガネを固定するための保持体７，７が設けられていて、この保持体７，７が耳珠１，１の表裏面に当接した形状に成されている。
【０００７】
特許文献４の特願２０１３−１０１９４７は出願人が先に出願している。ブリッジ１６を介して、下向き傾斜の鼻パッドを省略して形成されているレンズ部３，３又はフロントフレーム４と、このレンズ部３，３又はフロントフレーム４の両脇のヨロイとを介して、延長されているテンプル２，２の後にモダン１，１を取り付け、頭の形状に沿って斜め上方に延設した固定具６，６の下方端を、前記モダン１，１の上端に取り付け、耳殻７，７の外側の形状に沿わせて延長した前記モダン１，１が、耳朶５，５を避けるように前方に湾曲され、このモダン１，１の最終端に保持体９，９を取り付け、この保持体９，９が耳朶５，５に当接するように成されていて、この耳朶５，５の裏側の前記モダン１，１に、ストッパー２８，２８が設けられている構成である。
【０００８】
特許文献５の特願２０１３−１２６１８８は出願人が先に出願している。ブリッジ１６を介して、下向き傾斜の鼻パッドを省略して形成されているレンズ部３，３又はフロントフレーム４と、このレンズ部３，３又はフロントフレーム４の両脇のヨロイとを介して、延長されているテンプル２，２の後にモダン１，１を取り付け、このモダン１，１に、耳殻７，７の外側の形状に沿わせるとともに、その終端が耳朶５，５を避けるように前方に湾曲され、このモダン１，１の最終端に保持体９，９を取り付け、この保持体９，９が前記耳朶５，５に当接し、この耳朶５，５の裏面の前記モダン１，１の位置に、前記保持体９，９と協働して挟持ストッパー２８，２８が設けられている構成である。
【０００９】
特許文献６は、ゴム管（１）にひもや鎖（２）をつけ、ひもや鎖（２）の先に耳挟み部（３）をつけたイヤリング式眼鏡どめである。これは鼻パッドを取り付けた眼鏡に使用したと思われる。眼鏡が浮いた状態であれば、眼鏡の重量によってひもや鎖（２）は上方に引っ張られ、耳朶は上方に引き寄せられて変形して、レンズ部は下方にずれ落ちて鼻に接することになる。
【００１０】
本発明は、メガネを安定して固定するために、左右のモダン１，１が左右側頭骨３１，３１及び左右乳様突起３２，３２を挟持している。モダン１，１の終端に取り付けた保持体９，９を耳朶５，５に当接させ、この耳朶５，５の裏面のモダン１，１の位置に、保持体９，９と協働して耳朶５，５を挟持する挟持ストッパー２８，２８を設けている点が、上記の特許文献との相違点であり、対比説明のできる文献ではありません。
【発明の概要】
【発明が解決しようとする課題】
【００１１】
下向き傾斜の鼻パッドを省略した眼鏡を、浮いた状態で長時間安定して保持するために、モダン１，１を実装感の良い形状にすることを課題としている。
【課題を解決するための手段】
【００１２】
レンズ部３，３又はフロントフレーム４の両脇のヨロイを介して、延長されているテンプル２，２の後にモダン１，１を取り付け、このモダン１，１を耳殻７，７の外側の耳の付け根の形状に沿わせるとともに、左右側頭骨３１，３１及び左右乳様突起３２，３２を挟持し、その後、耳朶５，５の裏側の付け根に沿って下方に延設して前方に湾曲させ、この終端に保持体９，９を取り付け、この保持体９，９が耳朶５，５に当接し、この耳朶５，５の裏面のモダン１，１の位置に、保持体９，９と協働して耳朶５，５を挟持する前記保持体９，９より大きく、耳朶５，５の裏面に当接する挟持ストッパー２８，２８が設けられている構成である。
【発明の効果】
【００１３】
本発明１の効果として、テンプル２，２の後に取り付けた左右のモダン１，１を耳殻７，７の外側の耳の付け根の形状に沿わせるとともに、左右側頭骨３１，３１及び左右乳様突起３２，３２を挟持している。その後、耳朶５，５の裏側の付け根に沿って下方に延設して前方に湾曲させ、この終端に保持体９，９を取り付け、この保持体９，９と協働して耳朶５，５を挟持する挟持ストッパー２８，２８が、モダン１，１に設けられているので、この耳朶５，５が押さえられることはなく、重いレンズ部３，３又は重いフロントフレーム４であっても顔面に触れずに浮いた状態で安定して掛けることができる。
【００１４】
本発明２の効果として、レンズ部３，３又はフロントフレーム４にディスプレイ１４を設けることによって、ウエァラブル機器１５の機能を備えた眼鏡として、使用することができる。
【００１５】
本発明３の効果として、モダン１，１の上端に、頭の形状に沿って斜め上方に延設した固定具６，６の下方端を取り付けることにより、レンズ部３，３又はフロントフレーム４が下がることを阻止して、浮いた状態を保持する補助的な役割をしている。
【００１６】
本発明４の効果として、モダン１，１の終端に取り付けた保持体９，９と協働する挟持ストッパー２８，２８が、バネ３０，３０で付勢されているので、適宜の強さで耳朶５，５を挟持して保持できる。眼鏡の着脱時には保持体９．９を外側に広げることが可能であり便利である。
【００１７】
本発明５の効果として、テンプル２，２の後又はモダン１，１の上端又はテンプル２，２とモダン１，１との間に、固定体２９，２９を取り付けている。固定体２９，２９の大きさ、形状を変え摺動可能に設けることにより、上下前後方向に微調整が可能である。眼鏡が後方にずれることを防止している。
【００１８】
本発明６の効果として、モダン１，１をテンプル２，２に折り重なる方向に、折り畳むことにより、従来のメガネと同じサイズになる。コンパクトにして便利に使用することができる。
【００１９】
本発明７の効果として、レンズ部３，３又はフロントフレーム４の内側上方角近傍又はブリッジ１６に、鼻根２２に平行な方向に当接するように又は鼻根２２の前方斜め上向きの位置に当接するように、パッド本体１７，１７付アーム１８，１８又は一体型パッド１９，１９を、ブリッジ１６又はフロントフレーム４の延在方向に対して直角に又は上向きに傾斜して設けることにより、眼鏡が浮いた状態で鼻根２２に僅かに接触して、眼鏡を前後方向、左右方向にずれない様に支持することができる。眼鏡が顔面の中央に位置していることを確認できる。
【００２０】
本発明８の効果として、テンプル２，２又はモダン１，１及び／又はパッド本体１７，１７付アーム１８，１８又は一体型パッド１９，１９に調整機構８，８を取り付け、視力矯正の為に、レンズ部３，３と目との間の角膜頂点間距離を、正確に調整して決めることができる。
【００２１】
本発明９の効果として、モダン１，１の終端から接続部材２１、２１を上方に延設して、耳の耳珠１０，１０を包み込むように形成した耳珠当接体２０，２０を取り付け、この耳珠当接体２０，２０に天然鉱石，突起部を設けることにより、耳つぼを刺激し気の流れをスムーズにして、メガネを掛けている間に耳つぼ効果が得られる。また、接続部材２１，２１に補聴器１１，１１，イヤホーン１２，１２を取り付けることにより、メガネと補聴器１１，１１，イヤホーン１２，１２を同時に使用することができる。ピアスやイヤリングの代わりに、モダン１，１，保持体９，９に装飾品１３，１３を取り付けてお洒落を楽しむことができる。前方から見た場合、装飾品１３，１３は保持体９，９，モダン１，１を隠しファッション性に優れた眼鏡になる。
【図面の簡単な説明】
【００２２】
【図１】本発明１の実施の形態の一例を示す斜視図、後面図、斜視図である。
【図２】本発明１の実施の形態の一例を示す後面図である。
【図３】本発明２の実施の形態の一例を示す斜視図、側面図である。
【図４】本発明３の実施の形態の一例を示す斜視図、後面図、斜視図である。
【図５】本発明４の実施の形態の一例を示す斜視図である。
【図６】本発明５の実施の形態の一例を示す側面図である。
【図７】本発明６の実施の形態の一例を示す側面図、正面図である。
【図８】本発明７の実施の形態の一例を示す斜視図である。
【図９】本発明７の実施の形態の一例を示す平面図、斜視図である。
【図１０】本発明８の実施の形態の一例を示す説明図、側面図である。
【図１１】本発明８の実施の形態の一例を示す斜視図である。
【図１２】本発明９の実施の形態の一例を示す斜視図である。
【図１３】本発明９の実施の形態の一例を示す斜視図、説明図である。
【発明を実施するための形態】
【００２３】
本発明は、レンズ部３，３、フロントフレーム４が浮いた状態で安定して眼鏡を掛けるために、モダン１，１の形状は、耳殻７，７の外側の耳の付け根の形状に沿わせて延設させるとともに、左右側頭骨３１，３１及び左右乳様突起３２，３２を挟持させ、耳朶５，５を避けるように前方に湾曲させ、このモダン１，１の終端に取り付けた保持体９，９と協働して耳朶５，５を挟持する挟持ストッパー２８，２８を設けている。眼鏡のレンズ部３，３側を前方とし、モダン１，１側を後方としている。以下、本発明の実施の形態について、図面を参照して説明する。
【実施例１】
【００２４】
そこで、本発明の請求項１記載の眼鏡（以下、本発明１と言う）は、ブリッジ１６を介して、鼻パッドを省略して形成されているレンズ部３，３又はフロントフレーム４と、このレンズ部３，３又はフロントフレーム４の両脇のヨロイとを介して、延長されているテンプル２，２の後にモダン１，１を取り付け、このモダン１，１を耳殻７，７の外側の付け根の形状に沿わせるとともに、このモダン１，１で左右側頭骨３１，３１及び左右乳様突起３２，３２が挟持されていて、その後、耳朶５，５の裏側の付け根に沿って下方に延設して前方に湾曲され、この終端に保持体９，９を取り付け、この保持体９，９が前記耳朶５，５に当接するように成されていて、前記耳朶５，５の裏面の前記モダン１，１の位置に、前記保持体９，９と協働して前記耳朶５，５を挟持する前記保持体９，９より大きく、耳朶５，５の裏面に当接する挟持ストッパー２８，２８が設けられていることを特徴としている。
【００２５】
実施の形態の一例として、第１ａ図は、本発明１の保持体９，９と挟持ストッパー２８，２８を取り付けた眼鏡の斜視図であり、第２ｂ図は、本発明１の眼鏡を掛けている人の後面図であり、第３ｃ図は、本発明１のモダン１，１に、耳朶５，５の裏面に当接する挟持ストッパー２８，２８を取り付けた拡大図である。本発明１の眼鏡の保持体９，９が当接している耳朶５，５の裏面のモダン１，１の位置に、保持体９，９と協働して耳朶５，５を挟持する挟持ストッパー２８，２８が設けられていることを示している。
【００２６】
耳朶５，５は、一般的にピアスをする位置と言う認識があり、痛みを感じにくい場所でもあり、耳の下方にある耳朶５，５は柔らかく浮いた状態であり、耳朶５，５の裏面と頭側の間には隙間が存在している。保持体９，９を当接して押されても耳朶５，５が動かないようにするには、左右乳様突起３２，３２を挟持している左右モダン１，１の耳朶５，５の裏面のモダン１，１の位置に、挟持ストッッパー２８，２８を取り付け、この挟持ストッパー２８，２８が耳朶５，５の裏面に当接して、耳朶５，５、に当接している保持体９，９と挟持することにより、モダン１，１全体で眼鏡を保持することができる。挟持ストッパー２８，２８の形状は、人によって耳朶５，５の形状は異なり限定しない。挟持ストッパー２８，２８の材質は、保持体９，モダン１と同様である。
【００２７】
本発明で言う眼鏡は，老眼鏡，度付きメガネ，ＴＶ・映画用３Ｄメガネ，伊達メガネ，サングラス，風防メガネ，カメラを取り付けたメガネ，拡大鏡を入れたメガネ，ライトを取り付けたメガネ，度数調整可能な液体レンズメガネ，剣道用メガネ，ウェアラブル機器１５を取り付けたメガネ，スクリーンに表示される画像を観察するための画像観察用メガネ，拡張現実（ＡＲ）機能を備えたメガネ，ヘッドバンドを取り付けた手術用メガネなどである。
【００２８】
テンプル２，２の後にモダン１，１を取り付け、耳殻７，７の外側の形状に沿わせて延長したモダン１，１が、耳朶５，５の裏側の付け根に沿って下方に延長して、耳朶５，５を避けるように前方に湾曲していることは、テンプル２，２の弾性による押圧をモダン１，１全体に分散することができる。そして、耳朶５，５の付け根に沿ってモダン１，１を掛けるように前方に湾曲させて、終端に取り付けた保持体９，９を、顔の側面近傍の耳朶５，５に当接させている。この保持体９，９が耳朶５，５を僅かに押さえる程度であっても、眼鏡を保持することができる。
【００２９】
第２ａ図は、本発明１のモダン１，１が挟持している側頭骨３１，３１と乳様突起３２，３２及び耳の耳殻７，外耳孔３３の位置を示す頭蓋骨の斜視図である。耳殻７，７の上方に側頭骨３１，３１が位置し、耳殻７，７及び耳朶５，５の後方に乳様突起３２，３２が位置する。耳殻７，７の付け根の全周縁にモダン１，１を当接させて挟持することによって、しっかりと眼鏡を固定することができる。
【００３０】
モダン１，１及び保持体９，９の材質は、シリコン、ＣＰ、ポリエステル、アセテート、ＰＶＣ、ポリアミド、ニュクレル、形状記憶樹脂、スポンジ、ベータプラスチックなどである。
【００３１】
耳朶５，５は、一般的にピアスやイヤリングをする位置と言う認識があり、保持体９，９が適宜の強さで当接することには問題ない。保持体９，９の形状は、耳朶５，５と同様の色、形状にすることにより目立ちにくくできる。デザインによりピアスをしているように見える。髪の毛の多い人の場合、耳全体が髪の毛で隠されるので、どのような方法で眼鏡を支持して、浮かしているか分からない。下向き傾斜の鼻パッドを省略しているので、第図１ａで示しているように、レンズ部３，３、ブリッジ１６がスッキリしてファッション性が向上する。
【実施例２】
【００３２】
本発明の請求項２記載の眼鏡（以下、本発明２と言う）は、請求項１記載の眼鏡であって、この眼鏡の前記レンズ部３，３又は前記フロントフレーム４にディスプレイ１４が設けられていることを特徴としている。
【００３３】
実施の形態の一例として、第３ａ図は、本発明１の眼鏡のフロントフレーム４にディスプレイ１４を取り付けたメガネタイプのウェアラブル機器１５の斜視図であり、第３ｂ図は、ウェアラブル機器１５を取り付けた眼鏡を掛けている人の側面図である。下向き傾斜の鼻パッドを省略して形成されているフロントフレーム４の両脇のヨロイを介して、延長されているテンプル２，２の後にモダン１，１を取り付け、耳殻７，７の付け根の形状に沿わせて延長したモダン１，１が、耳朶５，５を避けるように前方に湾曲され、このモダン１，１の終端に保持体９，９を取り付け、この保持体９，９が耳朶５，５に当接するように成されていて、この耳朶５，５の裏面のモダン１，１の位置に、本発明１の挟持ストッパー２８，２８が設けられていることを示している。
【００３４】
ウエァラブル機器１５は現在開発中であり、軽薄短小に改良されるが、従来の下向き傾斜の鼻パッドのメガネタイプに取り付けた場合は、ウエァラブル機器１５の重量がレンズ部３，３，フロントフレーム４にかかり、鼻根２２への負担が非常に大きい。しかし、本発明１の眼鏡型のフロントフレーム４にウエァラブル機器１５を取り付けることにより、モダン１，１を耳朶５，５の下端に掛けるようにして、終端に取り付けた保持体９，９を、耳朶５，５の表面に当接する。耳朶５，５が動かないように、耳朶５，５の裏側のモダン１，１に挟持ストッッパー２８，２８を取り付けることにより、保持体９，９と挟持ストッパー２８，２８で耳朶５，５を挟み、モダン１，１全体でウエァラブル機器１５を保持することができる。耳朶５，５は痛みを感じにくい場所であり、ウエァラブル機器１５を保持する眼鏡として適している。
【００３５】
ウェアラブル機器１５とは、カメラ，マイク，スピーカー，インターネット接続を備え、音声操作でＡＲメガネをかけて手ぶらで歩きながら、スケジュールや天気予報、交通情報を調べたり、目的地へのルートを確認したり、友人とメールやビデオ通話で連絡を取り合ったり、ユーザーの健康状態を知らせてくれたり、日常生活の中で目にしている情報をディスプレイ１４上に表示することができる。ウェアラブルコンピューターは、出力デバイスであるディスプレイ１４を目の近くに付けるため、メガネのような形状をしている。
【実施例３】
【００３６】
本発明の請求項３記載の眼鏡（以下、本発明３と言う）は、前記モダン１，１の上端に、頭の形状に沿って斜め上方に延設した固定具６，６の下方端が取り付けられていることを特徴としている。
【００３７】
実施の形態の一例として、第４ａ図は、本発明３の固定具６，６の下端をモダン１，１の上端に取り付けた眼鏡の斜視図であり、第４ｂ図は、本発明３の眼鏡を掛けている人の後面図であり、第４ｃ図は、本発明３のモダン１，１を耳殻７，７の外側の形状に沿わせ、耳朶５，５を避けるように前方に湾曲させ、この終端に保持体９，９を取り付けた拡大図である。
【００３８】
固定具６，６は頭の形状に沿って斜め上方に延設し、先端部が頭側に沿って、僅かに内側に湾曲することにより、レンズ部３，３が下がることを止め、浮いた状態を保持する補助的な役割をしている。
【実施例４】
【００３９】
本発明の請求項４記載の眼鏡（以下、本発明４と言う）は、前記モダン１，１の終端に取り付けた前記保持体９，９と前記挟持ストッパー２８，２８が、前記耳朶５，５を挟持するようにバネ３０，３０で付勢されていることを特徴としている。
【００４０】
実施の形態の一例として、第５ａ図は、本発明４の保持体９，９と挟持ストッパー２８，２８が、耳朶５，５をバネ３０，３０で付勢していることを示す斜視図であり、第５ｂ図は、本発明４のバネ３０，３０を取り付けたモダン１，１の斜視図である。耳朶５，５に当接した保持体９，９と協働する挟持ストッパー２８，２８がバネ３０，３０で付勢されることにより、耳朶５，５を確実に挟持できる。バネ３０，３０を適宜の強さに調整することも可能であり、眼鏡を固定する役割をしている。バネ３０，３０は弾力性を有するプラスチックでも良い。
【００４１】
実施の形態の一例として、第５ｃ図は、本発明４のバネ３０，３０が耳朶５，５を付勢している保持体９，９を外側に引いて、耳朶５，５に当接している保持体９，９を耳朶５，５から離したことを示す斜視図であり、第５ｄ図は、本発明４のバネ３０，３０で耳朶５，５を付勢している保持体９，９を、外側に開いた状態を示すモダン１，１の斜視図である。このような構成により、保持体９，９を僅かに動かして簡単に眼鏡を着脱することができる。
【実施例５】
【００４２】
本発明の請求項５記載の眼鏡（以下、本発明５と言う）は、前記テンプル２，２の後又は前記モダン１，１の上端に、前記テンプル２，２の前後への移動を阻止する固定体２９，２９が取り付けられていることを特徴としている。
【００４３】
実施の形態の一例として、第６ａ図は、本発明５の固定体２９，２９をテンプル２，２に取り付け、耳にかけていることを示す側面図であり、第６ｂ図は、本発明５の固定体２９，２９を取り付けたモダン１，１の側面図である。固定体２９，２９を左右方向に摺動可能に設けることができる。固定体２９，２９は眼鏡の微妙な位置の調整が可能であり、適宜の位置に固定体２９，２９を固定することにより、眼鏡のレンズ部３，３が前後方向に移動することを阻止している。角膜頂点間距離が固定され安定して眼鏡が保持されることになる。耳殻７，７の上端の形状が円弧状であり、固定体２９，２９の位置を後方に移動させることにより、レンズ部３，３は上方に微妙に移動する。固定体２９，２９の形状を下方に突出させることにより、上下方向の調整も可能である。
【００４４】
実施の形態の一例として、第６ｃ図は、本発明５の固定体２９，２９をモダン１，１に取り付け、耳にかけていることを示す側面図であり、第６ｄ図は、本発明５の固定体２９，２９を取り付けたモダン１，１の側面図である。固定体２９，２９を左右方向に摺動可能に設けることができる。耳殻７，７の上端前方端に位置するように、固定体２９，２９を耳殻７，７に引っかかるようにしている。固定体２９，２９は小さな部品であるが、その作用効果は大きく、着脱時には影響なく簡単に使用することができる。
【実施例６】
【００４５】
本発明の請求項６記載の眼鏡（以下、本発明６と言う）は、前記モダン１，１の上端が、前記テンプル２，２の後に挿入した連結部材２５，２５の後又はテンプル２，２の後に回動自在に軸支されていて、前記モダン１，１が前記テンプル２，２に折り重なる方向に、折り畳めるように成されていることを特徴としている。
【００４６】
「テンプルに折り畳めるモダンを取り付けた眼鏡」とは、出願人が先に取得している特許第５１９９５０９号、発明の名称「折り畳めるモダン」である。この特許は特許第４８２４８３８号の「耳つぼメガネ」のテンプルの端部に、連結部材を固定又は摺動自在に取り付け、この連結部材に、頭の形状に沿って斜め上方に延設した固定具の下方端が取り付けられ、モダンの上方端が、回動自在に軸支されていて、テンプルに折り重なる方向に、折り畳めるように成されている構成である。
【００４７】
実施の形態の一例として、第７ａ図は、本発明１のテンプル２，２の後に連結部材２５，２５を設け、この連結部材２５，２５に取り付けた軸２４，２４によって、モダン１，１を回動自在にした眼鏡の側面図である。連結部材２５，２５を摺動可能にテンプル２，２に挿入してネジ止めすることにより、角膜頂点間距離の調整に利用することもできる。第７ｂ図は、本発明１のモダン１，１を、略９０度テンプル２，２に折り重なる方向に折り畳んだ側面図であり、第７ｃ図は、モダン１，１をテンプル２，２に折り重なる方向に折り畳んだテンプル２，２を、内側のレンズ部３，３側に折り畳んだ状態を示す正面図である。
【００４８】
かかる構成により、眼鏡を仕舞う時、左右のテンプル２，２を内側に閉じて、モダン１，１を上方に押し上げ、テンプル２，２に折り重なる方向に略９０度に曲げて折り畳むことにより、眼鏡はスリムになって従来のメガネケースに収まる。第７ａ図のようにモダン１，１が開いている時は、連結部材２５，２５の軸２４，２４の部分において弾性的に係合し、その展開状態が保持されている。
【００４９】
実施の形態の一例として、本発明の眼鏡の形状として、レンズ部３，３又はフロントフレーム４の両脇のヨロイを介して、延長されているテンプル２，２は折り畳めるようになっているが、レンズ部３，３又はフロントフレーム４の両脇のヨロイを取り付けずに一体成型して製作することもできる。
【実施例７】
【００５０】
本発明の請求項７記載の眼鏡（以下、本発明７と言う）は、前記レンズ部３，３又は前記フロントフレーム４又は前記ブリッジ１６に、パッド本体１７，１７付アーム１８，１８又は一体型パッド１９，１９が接合され、このパッド本体１７，１７付アーム１８，１８又は一体型パッド１９，１９が、鼻根２２に平行な方向に当接するように又は鼻根２２の前方斜め上向きの位置に当接されるように、ブリッジ１６又はフロントフレーム４の延在方向に対して直角に又は上向きに傾斜して設けられていることを特徴としている。
【００５１】
先に出願人は発明の名称「眼鏡」特許第５１９９５１１号を取得している。特許第４８２４８３８号の「耳つぼメガネ」は、眼鏡のレンズフレーム５，５又はレンズ６，６又はブリッジ２０又はフロントフレーム４に、パッド本体１，１付アーム２，２又は一体型パッド３，３が接合され、このパッド本体１，１又は一体型パッド３，３が、鼻根８に平行な方向に当接するように又は鼻根８の前方斜め上向きの位置に当接されるように、ブリッジ２０又はフロントフレーム４の延在方向に対して、直角に又は上向きに傾斜して設けられていることで、眼鏡を顔面に安定させるように成されている構成である。
【００５２】
実施の形態の一例として、第８ａ図は本発明７のパッド本体１７，１７付アーム１８，１８を取り付けた眼鏡の拡大図である。眼鏡のブリッジ１６の両端にアーム１８，１８の一方端を取り付け、このアーム１８，１８の他方端にパッド本体１７，１７を取り付けたことを示している。このパッド本体１７，１７の内側表面は鉛直状に形成され、鼻根２２に鉛直状に当接するので、皮膚に接する部分の形状は凹面になっている。
【００５３】
実施の形態の一例として、第８ｂ図は本発明７の一体型パッド１９，１９をブリッジ１６に取り付けた眼鏡の拡大図である。眼鏡のブリッジ１６の内側にＹ字状の一体型パッド１９，１９の一方端を取り付け、この一体型パッド１９，１９の他方端の形状がパッド形状に成されていることを示している。このパッドの形状はメガネをかけた時、このパッドに接することにより、メガネの位置が顔の中心になっていることを確かめる役割をしている。
【００５４】
実施の形態の一例として、第９ａ図は本発明７の眼鏡を掛けている人の平面図である。眼鏡のブリッジ１６に、Ｙ字形の一体型パッド１９が接合され、この一体型パッド１９が、鼻根２２に鉛直に鼻根２２を挟んで当接することにより、左右方向と後方向にずれないので、眼鏡を顔面に安定させて掛けられることを示している。
【００５５】
実施の形態の一例として、第９ｂ図は本発明７のパッド本体１７，１７付アーム１８，１８を取り付けた本発明２のメガネタイプのウェアラブル機器１５を掛けている人の斜視図である。眼鏡型のフロントフレーム４に、パッド本体１７，１７付アーム１８，１８が接合され、このパッド本体１７，１７付アーム１８，１８が、鼻根２２を上向きに挟んで当接することにより、左右方向と後方向にずれない様に支持し、ウェアラブル機器１５を顔面に浮いた状態で安定させて掛けられることを示している。
【００５６】
本発明７のパッド本体１７，１７の表面を構成する曲面は、鼻根２２の表面にほぼ合致した曲率の曲面に形成している。メガネを顔に装着した時、パッド本体１７，１７を皮膚に押し当てメガネが顔の所定の位置に保持される。パッド本体１７，１７の表面は、鼻根２２の表面にほぼ合致した曲面に形成されているので、メガネからの荷重が掛かることはない。鼻根２２の表面にパッド本体１７，１７の跡が付くようなことはなく、快適な装着感が得られる。
【００５７】
本発明７のパッド本体１７，１７に取り付けられているアーム１８，１８を、柔らかい材質、線径の細い材料で形成し、パッド本体１７，１７に加わるレンズ部３，３からの動きに応じて弾性変形するようにできる。眼鏡を顔に装着した時に、レンズ部３，３からの荷重を感じることはなく、両アーム１８，１８が僅かに弾性変形することにより、両パッド本体１７，１７が鼻の側面に強く当たることは防止され、長時間に渡って快適な装着性が得られる。
【実施例８】
【００５８】
本発明の請求項８記載の眼鏡（以下、本発明８と言う）は、前記テンプル２，２又は前記モダン１，１及び／又はパッド本体１７，１７付アーム１８，１８又は一体型パッド１９，１９に、角膜頂点間距離が調整可能な調整機構８，８が設けられていることを特徴としている。
【００５９】
実施の形態の一例として、第１０ａ図，第１０ｂ図は、本発明８の調整機構８，８をモダン１，１に設けた説明図である。モダン１，１の上端に設けた連結部材２５，２５にテンプル２，２を摺動自在に挿入し、適宜の位置でネジ２６，２６を締めて固定できることを示している。第１０ｃ図は、本発明８の調整機構８，８をテンプル２，２の前に設けた側面図である。テンプル２，２の前方に設けた連結部材２５，２５にテンプル２，２を摺動自在に挿入し、適宜の位置でネジ２６，２６を締めて固定できることを示している。角膜頂点間距離を調整することは、眼鏡の装用者にとって最も重要なことであり、レンズの性能に大きく影響する。
【００６０】
実施の形態の一例として、第１１ａ図は本発明８のパッド本体１７，１７付アーム１８，１８をレンズフレーム２３，２３の内側上端に取り付けたことを示す拡大図である。アーム１８，１８の略中間が内側に湾曲されている。この湾曲の大きさを調整してパッド本体１７，１７を装用者の顔面の正しい位置に当接することによって、鏡を見ずに眼鏡の中心を顔の中心に位置決めできる。
【００６１】
実施の形態の一例として、第１１ｂ図は本発明８の一体型パッド１９をブリッジ１６に調整可能に取り付けた拡大図である。ネジ２６付筒体２７をブリッジ１６に接合し、そのネジ２６付筒体２７の空孔部に一体型パッド１９を挿入し、適宜の位置でネジ２６を締めて前後方向の調整ができる。また、一体型パッド１９のＹ字部を曲げることによって、メガネフレーム２３，２３を装用者の顔の正しい角膜頂点間距離の位置に保持できる。
【実施例９】
【００６２】
本発明の請求項９記載の眼鏡（以下、本発明９と言う）は、前記モダン１，１に、耳珠当接体２０，２０，補聴器１１，１１，イヤホーン１２，１２，装飾品１３，１３の少なくとも一つが取り付け可能となっていることを特徴としている。
【００６３】
実施の形態の一例として、第１２ａ図は、本発明９の耳珠当接体２０，２０が、モダン１，１に取り付けた保持体９，９から接続部材２１，２１を介して、耳珠１０，１０に当接している斜視図である。耳つぼの飢点を刺激して、耳つぼのダイエット効果がある。第１２ｂ図は、本発明９の骨伝導式のイヤホーン１２，１２が、モダン１，１に取り付けた保持体９，９から接続部材２１，２１を介して側頭に当接している斜視図である。
【００６４】
実施の形態の一例として、第１２ｃ図は、本発明９の補聴器１１，１１又はイヤホーン１２，１２を、モダン１，１の終端に取り付けた保持体９，９から、接続部材２１，２１を介して取り付けた斜視図である。第１２ｄ図は本発明９の装飾品１３，１３を、モダン１，１の終端に取り付けた保持体９，９に取り付けた斜視図である。この装飾品１３，１３によりモダン１，１の外観から見える部分を隠すことができる。イヤリング，ピアスの代わりにイヤーポイントとして装飾品１３，１３を保持体９，９、モダン１，１に取り付けてお洒落を楽しむことができる。
【００６５】
実施の形態の一例として、第１３ａ図は、本発明１の保持体９，９を着脱可能にするために方形にしたモダン１，１の終端を、方形の穴を設けた保持体９，９に差し込んで固定していることを示している。第１３ｂ図は、本発明１の保持体９，９をモダン１，１から抜いたことを示している。第１３ｃ図は、本発明９の装飾品１３，１３を着脱可能にして取り付けていることを示している。第１３ｄ図は、本発明１の保持体９，９に２個のピン穴３４，３４を設け、本発明９の装飾品１３，１３に２本のピン３５，３５を取り付けたことを示している。
【００６６】
実施の形態の一例として、一個の保持体９に２個のピン穴３４，３４を取り付け、多種類の装飾品１３の裏面に２本のピン３５，３５を設け、このピン３５，３５を差し込むことにより、簡単に交換することができる。保持体９，９と装飾品１３，１３を一体にして製作することも可能である。耳朶５，５の裏面のモダン１，１の位置に取り付けた本発明１の保持体９，９、挟持ストッパー２８，２８により、本発明９の耳珠当接体２０，２０、骨伝導式のイヤホーン１２，１２、補聴器１１，１１、装飾品１３，１３、イヤホーン１２，１２を保持体９，９に接続しても安定して眼鏡を固定することができる。
【産業上の利用可能性】
【００６７】
以上のように、本発明の眼鏡は、前方下向き傾斜の鼻パッドを取り除き、テンプル２，２の後に回動自在に設けたモダン１，１を、折り畳めることでコンパクトとなる。モダン１，１に取り付けた装飾品１３，１３により、前方から見た場合、保持体９，９、モダン１，１は隠れるので、ファッション性に優れた眼鏡である。左右側頭骨３１，３１及び左右乳様突起３２，３２を挟持させ、モダン１，１の終端に取り付けた保持体９，９と協働する挟持ストッパー２８，２８を設けることにより、長期間眼鏡を掛けていても確実に固定され、鼻の横に跡が付いたり、皮膚の色が変色したりする事がない。実装感が良く、浮いた状態で安定して掛けることができる眼鏡として適している。
【符号の説明】
【００６８】
１    モダン
２    テンプル
３    レンズ部
４    フロントフレーム
５    耳朶
６    固定具    
７    耳殻
８    調整機構
９    保持体
１０    耳珠
１１    補聴器
１２    イヤホーン
１３    装飾品
１４    ディスプレイ
１５    ウェアラブル機器
１６    ブリッジ
１７    パッド本体
１８    アーム
１９    一体型パッド
２０    耳珠当接体
２１    接続部材
２２    鼻根
２３    レンズフレーム
２４    軸
２５    連結部材
２６    ネジ
２７    筒体
２８    挟持ストッパー
２９    固定体
３０    バネ
３１    側頭骨
３２    乳様突起
３３    外耳孔
３４    ピン穴
３５    ピン
【要約】
【課題】
下向き傾斜の鼻パッドを省略した眼鏡を、浮いた状態で長時間安定して保持するために、モダン１，１を実装感の良い形状にすることを課題としている。
【解決手段】
レンズ部３，３又はフロントフレーム４の両脇のヨロイを介して、延長されているテンプル２，２の後にモダン１，１を取り付け、このモダン１，１を耳殻７，７の外側の耳の付け根の形状に沿わせるとともに、左右側頭骨３１，３１及び左右乳様突起３２，３２を挟持し、その後、耳朶５，５の裏側の付け根に沿って下方に延設して前方に湾曲させ、この終端に保持体９，９を取り付け、この保持体９，９が耳朶５，５に当接し、この耳朶５，５の裏面のモダン１，１の位置に、保持体９，９と協働して耳朶５，５を挟持する前記保持体９，９より大きく、耳朶５，５の裏面に当接する挟持ストッパー２８，２８が設けられている構成である。
【選択図】    図１【図１】
0005451935.tif 000002
【図２】
0005451935.tif 000003
【図３】
0005451935.tif 000004
【図４】
0005451935.tif 000005
【図５】
0005451935.tif 000006
【図６】
0005451935.tif 000007
【図７】
0005451935.tif 000008
【図８】
0005451935.tif 000009
【図９】
0005451935.tif 000010
【図１０】
0005451935.tif 000011
【図１１】
0005451935.tif 000012
【図１２】
0005451935.tif 000013
【図１３】
0005451935.tif 000014